(57)【要約】【課題】簡単な構造で、かつ容易に施工が行え、しかも優れた遮音性能を発揮することができる。【解決手段】建設現場の仮設の防音板１として用いられ、ダンボール２と、シート材３とが、積層された複合構成となっている。所定の剛性を有するダンボール２と、ダンボール２の表面２ａに重ねて配置されるシート材３と、を備え、シート材３は、例えば鉛や厚手のゴム製のシート材料からなり、ダンボール２に対してピン４によって非接着により固定された構成の防音構造体を提供する。【選択図】図２
2018053470.tif 000002
【特許請求の範囲】
【請求項１】
ダンボールと、
該ダンボールの少なくとも一方の面に重ねて配置されるシート材と、
を備え、
前記シート材は、前記ダンボールに対して非接着により固定されていることを特徴とする防音構造体。
【請求項２】
前記シート材は、前記ダンボールに対してピンによって固定されていることを特徴とする請求項１に記載の防音構造体。
【請求項３】
前記シート材は、前記ダンボールの被固定面に対して弛ませた状態で固定されていることを特徴とする請求項１又は２に記載の防音構造体。
【請求項４】
前記シート材は、蛇腹状に折り返した複数の折返し部を形成した状態で前記ダンボールに固定されていることを特徴とする請求項３に記載の防音構造体。
【請求項５】
前記シート材は、複数枚が重ねられた状態で設けられていることを特徴とする請求項１乃至４のいずれか１項に記載の防音構造体。
【請求項６】
前記ダンボールと前記シート材とが交互に積層されていることを特徴とする請求項１乃至４のいずれか１項に記載の防音構造体。
【請求項７】
請求項１乃至６のいずれか１項に記載の防音構造体の施工方法であって、
前記ダンボールを配置する工程と、
前記ダンボールの少なくとも一方の面に前記シート材を重ねて配置するとともに、前記ダンボールに対して非接着により固定する工程と、
を有することを特徴とする防音構造体の施工方法。
【発明の詳細な説明】
【技術分野】
【０００１】
本発明は、防音構造体およびこの施工方法に関する。
【背景技術】
【０００２】
従来、例えば工事現場の仮設備の防音構造として、例えば特許文献１、２に示されるような遮音・防音シートが知られている。このような遮音・防音シートでは、所望の大きさにシートを切断して用いることが可能であり、取り扱いが容易であることから、設置箇所に合わせて現場での施工に好適である。
【先行技術文献】
【特許文献】
【０００３】
【特許文献１】特開２０１１−１９６１５７号公報
【発明の概要】
【発明が解決しようとする課題】
【０００４】
しかしながら、従来の防音構造では、下記のような問題があった。
すなわち、遮音・防音シートの場合には、シートを固定するためのフレームが必要となるため、設置場所が限定されたり、シートを隙間なく張ることが難しく、かつ手間のかかる作業となる。そして、シート同士の間に隙間が生じると、遮音欠損が発生するという問題があった。
また、シートの素材自体が軽量であるため十分な遮音性能を確保できないという問題があり、その点で改善の余地があった。
【０００５】
本発明は、上述する問題点に鑑みてなされたもので、簡単な構造で、かつ容易に施工が行え、しかも優れた遮音性能を発揮することができる防音構造体およびこの施工方法を提供することを目的とする。
【課題を解決するための手段】
【０００６】
上記目的を達成するため、本発明に係る防音構造体は、ダンボールと、該ダンボールの少なくとも一方の面に重ねて配置されるシート材と、を備え、前記シート材は、前記ダンボールに対して非接着により固定されていることを特徴としている。
【０００７】
また、本発明に係る防音構造体の施工方法は、上述した防音構造体の施工方法であって、前記ダンボールを配置する工程と、前記ダンボールの少なくとも一方の面に前記シート材を重ねて配置するとともに、前記ダンボールに対して非接着により固定する工程と、を有することを特徴としている。
【０００８】
本発明では、ダンボールとシート材とのそれぞれを組み合わせた複合構造となり、シート材に加えてダンボールの重量が付加されることから、防音構造体としての質量（面密度）が増大し、遮音性能を高めることができ、騒音低減効果を向上させることができる。また、本発明では、例えば鉛や厚手のゴムシート等からなるシート材を使用することで、さらにシート材の質量も大きく付加され、前述の騒音低減効果をさらに高めることができる。
そして、ダンボールは適度な剛性を有するので、従来の遮音・防音シートのみの場合に比べて、配置される防音構造体に隙間が発生し難く、優れた遮音性能を発揮することができる。
しかも、本発明では、加工が容易な素材からなるダンボールを用い、ダンボールにシート材を固定するという簡単な構造により作製することができる。そのため、任意の形状で隙間のない塀や箱状の区画を組み立てることが可能となり、現場での組立を容易に行うことができる。
【０００９】
また、本発明の防音構造体では、シート材がダンボールに対して非接着で固定されているので、解体時や廃棄時にダンボールとシート材とを容易に分離することができる。そのため、防音構造体の使用後における廃棄時の分別を簡単に行うことができ、例えばダンボールはリサイクルすることが可能であり、シート材は転用が可能となることから、コストの低減を図ることができる。
【００１０】
また、本発明に係る防音構造体は、前記シート材は、前記ダンボールに対してピンによって固定されていることが好ましい。
【００１１】
この場合には、ダンボールとシート材とが接着剤を用いずにピンで固定する構造となるため、防音構造体の組立・解体にかかる施工を容易に行うことができる。
【００１２】
また、本発明に係る防音構造体は、前記シート材は、前記ダンボールの被固定面に対して弛ませた状態で固定されていることが好ましい。
【００１３】
この場合には、シート材の弛ませた分だけシート面積を増やしてシート材の質量を増大することができ、遮音性能を向上させることができる。そして、要求される遮音性能に応じてシート材の弛ませる部分を増減させることで遮音性能を調整することができる。
【００１４】
また、本発明に係る防音構造体は、前記シート材は、蛇腹状に折り返した複数の折返し部を形成した状態で前記ダンボールに固定されていることが好ましい。
【００１５】
この場合には、シート材の折り返した分だけシート面積を増やしてシート材の質量を増大することができ、遮音性能を向上させることができる。そして、要求される遮音性能に応じてシート材の折返し部を増減させることで遮音性能を調整することができる。
【００１６】
また、本発明に係る防音構造体は、前記シート材は、複数枚が重ねられた状態で設けられていてもよい。
【００１７】
この場合には、シート材の枚数分だけシート材の質量を増大することができる。そのため、要求される遮音性能に応じてシート材を付加することで遮音性能を調整することができる。
【００１８】
また、本発明に係る防音構造体は、前記ダンボールと前記シート材とが交互に積層されていてもよい。
【００１９】
この場合には、ダンボールとシート材とが交互に積層された複層構造となるので、遮音性能をより一層向上させることができる。
【発明の効果】
【００２０】
本発明の防音構造体およびこの施工方法によれば、ダンボールとシート材を重ねて配置するという簡単な構造であり、かつ容易に施工が行え、しかも優れた遮音性能を発揮することができる。
【図面の簡単な説明】
【００２１】
【図１】本発明の第１の実施の形態による防音板の構成を示す斜視図である。
【図２】図１に示す防音板の分解斜視図である。
【図３】図１に示す防音板において、ダンボールとシート材の固定状態を示す縦断面図である。
【図４】第２の実施の形態による防音板の構成を示す分解斜視図であって、図２に対応する図である。
【図５】第３の実施の形態による防音板の一部を示す縦断面図である。
【発明を実施するための形態】
【００２２】
以下、本発明の実施の形態による防音構造体およびこの施工方法について、図面に基づいて説明する。
【００２３】
（第１の実施の形態）
図１及び図２に示すように、本実施の形態による防音構造体は、例えば建設現場の仮設の防音板１として用いられている。
防音板１は、ダンボール２と、シート材３とが、積層された複合構成となっている。ダンボール２は、所定の剛性を有する周知のものが使用され、新品、又は中古のものであってもよい。なお、図１及び図２は、防音板１の一区画のみを示した斜視図であって、シート材３側から見た図である。
【００２４】
シート材３は、例えば鉛や厚手のゴム製のシート材料からなる。シート材３は、ダンボール２の一方の面（表面２ａ）に沿って弛みが無いように延在させて複数のピン４、４を突き刺すことによって係止されている。
ここで、シート材３としては、防音板１の重量を増大させるだけの材質であることが好ましい。例えば、厚さ１０〜１５ｍｍのダンボール２に対して０．７ｋｇ／ｍ２の重量を確保できる部材が好ましい。
【００２５】
ピン４は、図３に示すように、ダンボール２とシート材３を貫通し、頭部４１をシート面（表面２ａ）に押し付けて、ピン軸４２の先端部４２ａをダンボール２の裏面２ｂで折曲げた状態で係止されている。ピン４の位置は、とくに限定されることはないが、ピン４の太さ、ダンボール２の剛性や厚み、シート材３の材質や硬さ等の条件に応じて、例えば縦横に適宜な間隔をあけて配置されている。要は、シート材３がダンボール２に対して風雨等によって剥がれないように固定されていればよい。
【００２６】
次に、上述した防音板１およびこの施工方法と作用について、図面に基づいて説明する。
図１及び図２に示すように、防音板１は、予め工場あるいは作業ヤードで所定の大きさ（例えば、トラック等で運搬可能な大きさ）にダンボール２にシート材３を固定した状態で製作しておき、それを設置現場に搬入して、適宜な形状、大きさに組み立てて仮設の防音板１として使用する。所定の大きさの防音板１同士を隣接させて接続する場合には、例えば、粘着テープやボルト、ピン等の接続部材を使用すればよい。
【００２７】
また、防音板１を組み立てる際には、例えば図示しない鋼管材からなる支柱や吊りワイヤ等の線状部材を支持材として設置し、この支持材に対して防音板１を支持させて、シート材３を外側に向けた状態で防音板１を取り付けるようにしてもよい。さらに、固定可能な取付け壁がある場合には、この取付け壁に対して適宜な固定部材を用いて固定してもよい。このように支持材や取付け壁を用いる場合には、ダンボール２単体の剛性だけでなく支持されるので、ある程度大きな規模の仮設防音を実現することができる。
【００２８】
また、防音板１を設置現場で製造して設置することも可能である。例えば、所定範囲にダンボール２を配列した後に、そのダンボール２の表面２ａにシート材３を配置してピン４で係止することで設置することができる。
【００２９】
このように本実施の形態では、ダンボール２とシート材３とのそれぞれを組み合わせた複合構造となり、シート材３に加えてダンボール２の重量が付加されることから、防音板１としての質量（面密度）が増大し、遮音性能を高めることができ、騒音低減効果を向上させることができる。また、例えば鉛や厚手のゴムシート等からなるシート材３を使用することで、さらにシート材３の質量も大きく付加され、騒音低減効果をさらに高めることができる。
そして、ダンボール２は適度な剛性を有するので、従来の遮音・防音シートのみの場合に比べて、配置される防音板１に隙間が発生し難く、優れた遮音性能を発揮することができる。
【００３０】
しかも、本実施の形態では、加工が容易な素材からなるダンボール２を用い、ダンボール２にシート材３を固定するという簡単な構造により作製することができる。そのため、任意の形状で隙間のない塀や箱状の区画を組み立てることが可能となり、現場での組立を容易に行うことができる。
【００３１】
また、本実施の形態の防音板１では、シート材３がダンボール２に対して非接着で固定されているので、組立・解体にかかる施工を容易に行うことができるうえ、解体時や廃棄時にダンボール２とシート材３とを容易に分離することができる。そのため、防音板１の使用後における廃棄時の分別を簡単に行うことができ、例えばダンボール２はリサイクルすることが可能であり、シート材３は転用が可能となることから、コストの低減を図ることができる。
【００３２】
上述のように本実施の形態による防音構造体およびこの施工方法では、ダンボール２とシート材３を重ねて配置するという簡単な構造であり、かつ容易に施工が行え、しかも優れた遮音性能を発揮することができる。
【００３３】
次に、本発明の防音構造体およびこの施工方法による他の実施の形態について、添付図面に基づいて説明するが、上述の第１の実施の形態と同一又は同様な部材、部分には同一の符号を用いて説明を省略し、第１の実施の形態と異なる構成について説明する。
【００３４】
（第２の実施の形態）
上述した第１の実施の形態では、シート材３がダンボール２の所定範囲の表面２ａに沿って張った状態で配置されているが、シート材３の配置状態として、これに限定されることはない。
図４に示す第２の実施の形態による防音板１Ａ（防音構造体）は、ダンボール２の所定範囲の表面２ａ（被固定面）に複数枚（ここでは２枚）のシート材３（３Ａ、３Ｂ）を配置させたものである。つまり、前記所定範囲の１／２の範囲に１枚のシート材３Ａ、３Ｂを配置させるため、シート材３Ａ、３Ｂに蛇腹状に折り返した折返し部３ｃを形成したものである。すなわち、シート材３Ａ、３Ｂは、ダンボール２の表面２ａに対して部分的に弛ませた状態で固定されている。なお、図４では、各シート材３Ａ、３Ｂの左右両端３ａ、３ｂをピン４によってダンボール２に固定する構成となっているが、シート材３Ａ、３Ｂのダンボール２の表面２ａに接する折返し部３ｃにおいてもピン４によってダンボール２に係止させてもよい。
【００３５】
このように構成される第２の実施の形態の防音板１Ａでは、シート材３の折り返した分だけシート面積を増やしてシート材３の質量を増大することができ、遮音性能を向上させることができる。そして、要求される遮音性能に応じてシート材３の折返し部３ｃを増減させることで遮音性能を調整することができる。
【００３６】
（第３の実施の形態）
図５に示すように、第３の実施の形態による防音板１Ｂは、第１ダンボール２Ａ（２）と、シート材３と、第２ダンボール２Ｂ（２）とが、その順で積層された構成となっている。つまり、２枚のダンボール２で１枚のシート材３を挟持するように交互に積層されている。
この防音板１Ｂを作製する場合には、先ず、第１ダンボール２Ａの表面２ａに沿ってシート材３を配置して第１ピン４Ａで固定する。その後、シート材３の表面３ａに沿って第２ダンボール２Ｂを配置して第２ピン４Ｂでシート材３及び第１ダンボール２Ａを貫通させて固定する。なお、このような作製方法に限らず、例えばシート材３を２枚のダンボール２Ａ、２Ｂで挟持した状態でピンによって固定するようにしてもよい。
【００３７】
本第３の実施の形態では、２枚のダンボール２Ａ、２Ｂとシート材３とが交互に積層された複層構造となるので、遮音性能をより一層向上させることができる。
【００３８】
以上、本発明による防音構造体およびこの施工方法の実施の形態について説明したが、本発明は上記の実施の形態に限定されるものではなく、その趣旨を逸脱しない範囲で適宜変更可能である。
【００３９】
例えば、本実施の形態では、ダンボール２の一方の面（表面２ａ）のみにシート材３を配置した構成となっているが、ダンボール２の両面（表面２ａ及び裏面２ｂ）にシート材３を設けるようにしてもよい。
【００４０】
また、シート材３を複数枚重ねてダンボール２に固定させた構成にすることも可能である。この場合には、シート材３の枚数分だけシート材３の質量を増大することができる。そのため、要求される遮音性能に応じてシート材３を付加することで遮音性能を調整することができる。
【００４１】
さらに、本実施の形態では、ダンボール２とシート材３との固定にピン４を用いているが、ピン４であることに制限されることはなく、他の固定構造であってもかまわない。要は、ダンボール２とシート材３とが接着剤等で接着されていない構成であればよいのであって、例えばクリップ等、他の接続具を用いることも可能である。
【００４２】
その他、本発明の趣旨を逸脱しない範囲で、上記した実施の形態における構成要素を周知の構成要素に置き換えることは適宜可能である。
【符号の説明】
【００４３】
１、１Ａ、１Ｂ  防音板（防音構造体）
２、２Ａ、２Ｂ  ダンボール
２ａ  表面
３、３Ａ、３Ｂ  シート材
３ｃ  折返し部
４、４Ａ、４Ｂ  ピン
【図１】
2018053470.tif 000003
【図２】
2018053470.tif 000004
【図３】
2018053470.tif 000005
【図４】
2018053470.tif 000006
【図５】
2018053470.tif 000007